【事件の表示】
　特許第３２６５７４６号「腕時計型ケース」の請求項１、２に係る特許に対する特許異議の申立てについて、次のとおり決定する。
【結　論】
　訂正を認める。
　特許第３２６５７４６号の請求項１に係る特許を取り消す。
【理　由】
１．手続きの経緯
　特許第３２６５７４６号「腕時計型ケース」の請求項に係る発明は、平成５年８月２５日に特許出願され、平成１４年１月１１日にその特許の設定登録がなされたものであり、その後、平成１４年９月１３日に岡崎之彦により請求項１及び２に係る特許について特許異議の申立てがなされ、平成１４年１２月２４日付けで取消しの理由が通知され、その所定の期間内である平成１５年３月６日に特許異議意見書と共に、訂正請求書が提出され、さらに、平成１５年３月１７日付けで再度の取消しの理由が通知されたものである。
　
２．訂正の適否について
　（１）訂正の内容
　ア．訂正事項ａ
　請求項１に係る記載「バンドが取り付けられたケース本体と、このケース本体の裏側に配置された緩衝部材とを有し、前記緩衝部材は、前記バンドの下側において、前記ケース本体裏面の外周から外側に向かって下方に湾曲して、前記バンドの下面に沿うように延出する延出部を有することを特徴とする腕時計型ケース。」を、
　「バンドが取り付けられたケース本体と、このケース本体の裏側に配置された緩衝部材とを有し、前記緩衝部材は、前記バンドの下側において、前記ケース本体裏面の外周から外側に向かって下方に湾曲して、前記バンドの下面に沿うように延出する延出部を有すると共に、前記緩衝部材には、前記ケース本体側面に立ち上がる部分が形成され、この部分が前記ケース本体側面に固定されていることを特徴とする腕時計型ケース。」と訂正する。
　イ．訂正事項ｂ
　請求項２を削除する。
　ウ．訂正事項ｃ
　明細書の段落番号【０００６】の記載「【課題を解決するための手段】
　請求項１の発明の腕時計型ケースは、バンドが取り付けられたケース本体と、このケース本体の裏側に配置された緩衝部材とを有し、前記緩衝部材は、前記バンドの下側において、前記ケース本体裏面の外周から外側に向かって下方に湾曲して、前記バンドの下面に沿うように延出する延出部を有することを特徴とする。」を、
　「【課題を解決するための手段】
　請求項１の発明の腕時計ケースは、バンドが取り付けられたケース本体と、このケース本体の裏側に配置された緩衝部材とを有し、前記緩衝部材は、前記バンドの下側において、前記ケース本体裏面の外周から外側に向かって下方に湾曲して、前記バンドの下面に沿うように延出する延出部を有すると共に、前記緩衝部材に前記ケース本体側面に立ち上がる部分が形成され、この部分が前記ケース本体側面に固定されていることを特徴とする。」と訂正する。
　エ．訂正事項ｄ
　明細書の段落番号【０００７】に係わる記載を削除する。
　（２）訂正の目的の適否、新規事項の有無及び拡張・変更の存否
　訂正事項ａについて；
　当該訂正は、請求項１中の構成要素である「緩衝部材」について「前記緩衝部材に前記ケース本体側面に立ち上がる部分が形成され，この部分が前記ケース本体側面に固定されている」と、さらに限定を加えるものであって、特許請求の範囲の減縮を目的とするものであり、これは、特許明細書の段落【０００９】、【００１０】及び図１の記載に基づくものである。
　そうすると、訂正事項ａは、願書に添付した明細書又は図面に記載した事項の範囲内のものであり、また、実質上特許請求の範囲を拡張し又は変更するものでもない。
　訂正事項ｂについて；
　請求項を削除することは、特許請求の範囲の減縮を目的とするものであり、願書に添付した明細書又は図面に記載した事項の範囲内のものであり、また、実質上特許請求の範囲を拡張し又は変更するものでもない。
　訂正事項ｃ及びｄについて；
　訂正事項ｃ及びｄは、上記訂正事項ａまたはｂとの整合を図るものであるから、明りょうでない記載の釈明を目的とした明細書の訂正に該当し、いずれも、願書に添付した明細書又は図面に記載した事項の範囲内のものであり、また、実質上特許請求の範囲を拡張し又は変更するものでもない。
　（３）むすび
　したがって、上記各訂正事項による訂正は、特許法第１２０条の４第３項において準用する平成６年法律第１１６号による改正前の特許法第１２６条第１項ただし書、第２項及び第３項の規定に適合するもので、当該訂正を認める。
　
３．請求項１に係る発明について
　上記訂正が認められるから、本件特許第３２６５７４６号の請求項１に係る発明は、上記訂正請求に係る訂正明細書の特許請求の範囲の請求項１に記載されたとおりのもの（以下、「本件発明」という。）であって、本件発明の特許に対しては、平成１５年３月１７日付けで取消理由を通知し、期間を指定して意見書を提出する機会を与えたが、特許権者からは何らの応答もない。
　そして、上記の取消理由は妥当なものと認められるので、本件特許は、この取消理由によって取り消すべきものである。
　
４．むすび
　以上のとおりであるから、本件発明についての特許は、特許法第２９条第２項の規定に違反してされたものであるから、同法第１１３条第２号に該当し、取り消されるべきものである。
　よって、結論のとおり決定する。
【異議決定日】
平成１５年７月１０日（２００３．７．１０）
【訂正の要旨】
審決（決定）の【理由】欄参照。
（５４）【発明の名称】
腕時計型ケース
（５７）【特許請求の範囲】
　【請求項１】　バンドが取り付けられたケース本体と、
　このケース本体の裏側に配置された緩衝部材とを有し、
　前記緩衝部材は、前記バンドの下側において、前記ケース本体裏面の外周から外側に向かって下方に湾曲して、前記バンドの下面に沿うように延出する延出部を有する
と共に、
　
前記緩衝部材には、前記ケース本体側面に立ち上がる部分が形成され、この部分が前記ケース本体側面に固定されている
【発明の詳細な説明】
　【０００１】
　【産業上の利用分野】
　本発明は、腕に装着されると共に耐衝撃性構造となっている腕時計などの腕時計型のケースに関する。
　【０００２】
　【従来の技術】
　図７および図８は耐衝撃性構造となっている従来の腕時計における時計ケースを示す。上面に時計ガラス７２が嵌め込まれると共に、下面に裏蓋７３が取り付けられた本体７１と、この本体７１の１２時および６時方向に取り付けられた時計バンド７４と、本体７１に取り付けられた合成樹脂製のベゼル７５とを備えている。ベゼル７５は時計ケースに装飾性を付与すると共に、時計ケースの上面側および側面側からの衝撃に対応するものである。この衝撃に対応するため、ベゼル７５は本体７１の外周部の上面から隆起する上面隆起部７５ａと、本体７１の外周部の側面から側方に部分的に隆起する側面隆起部７５ｂとが一体的に形成されている。
　【０００３】
　一方、時計ケースの下面側からの衝撃に対しては時計バンド７４が対応するようになっている。このため時計バンド７４は発泡ウレタンなどの軟質合成樹脂により成形されると共に、常に本体７１の下面側に位置するように本体７１に取り付けられている。この時計バンド７４の取り付けは本体７１のピン穴７６（図７参照）とべゼル７５のピン穴とを偏心させ、これらのピン穴に時計バンド７４のバンドピン７７を挿入させて挟み込むことによりなされており、これによりバンドピン７７の回転を拘束して時計バンド７４の回動を規制している。
　【０００４】
　【発明が解決しようとする課題】
　従来の耐衝撃性の時計ケースは下面側からの衝撃に対応するため、時計バンド７４の回動が規制されており、装着時の可撓性がなく、装着性が悪い問題があった。また時計バンド７４の材質も軟質合成樹脂などに限定されるため、材料選択の自由度がないと共にデザイン上への規制が課せられていた。
　【０００５】
　本発明は上記事情を考慮してなされたものであり、バンドの取付構造や材質に制限を課すことなく耐衝撃性構造とすることが可能な腕時計型ケースを提供することを目的とする。
　【０００６】
　【課題を解決するための手段】
　請求項１の発明の腕時計型ケースは、バンドが取り付けられたケース本体と、このケース本体の裏側に配置された緩衝部材とを有し、前記緩衝部材は、前記バンドの下側において、前記ケース本体裏面の外周から外側に向かって下方に湾曲して、前記バンドの下面に沿うように延出する延出部を有する
と共に、前記緩衝部材に前記ケース本体側面に立ち上がる部分が形成され、この部分が前記ケース本体側面に固定されている
　【０００７】
　【０００８】
　【実施例】
　図１および図２は本発明の第１実施例を示す。この実施例の時計ケース１は時刻表示を行う時計機能（図示省略）を収納する本体２と、本体２の外周部に取り付けられたベゼル３と、本体２の１２時および６時方向に取り付けられた時計バンド４の下側に配置された緩衝部材５とを備えている。
　【０００９】
　本体２はその上面にガラスパッキン６を介して時計ガラス７が嵌め込まれると共に、その下面にシールリング８を介して裏蓋９が取り付けられている。ベゼル３は軟質合成樹脂からなり、この本体２の外周部にビス１０により固定されている。このベゼル３は本体２の外周部の全周にわたって、その上面から上方に隆起する上面隆起部３ａを有しており、これにより本体２の上面への衝撃に対応している。また本体２の外周部の側方に部分的に隆起する側面隆起部３ｂ（図２参照）がベゼル３に形成されており、これにより本体２の側面への衝撃に対応している。そして、これら上面隆起部３ａおよび側面隆起部３ｂが図２に示すように、所定のデザイン的な形状に成形されることにより、堅牢性を感じさせる装飾性が付与されている。なお本実施例においては、図１に示すように本体２のガラス受け部１１との間で時計ガラス７を挟み込む押圧部３ｃがベゼル３に形成されており、これにより時計ガラス７の衝撃時あるいは不用意な脱落を防止している。
　【００１０】
　時計バンド４は本体２の１２時および６時方向に形成されたバンド取付部１２にバンドピン１３を挿入することにより取り付けられている。本実施例において、バンドピン１３は後述するように、バンド取付部１２のピン穴に回転自在に挿入され、これにより時計バンド４の自由な回動が可能となっている。緩衝部材５はこの時計バンド４の下面に沿うように配置される、緩衝部材５は本体２の下面にその取付端部が取り付けられて時計バンド４の下面に沿うように延びている。図示例において緩衝部材５の取り付けは、本体２の１２時および６時方向に形成されたバンド取付部１２の左右両端部に緩衝部材５の取付端部を当接した状態でビス１０を螺合することによりベゼル３と一体となって本体２に固定されるが、本体２に係合させて取り付けることも可能である。この緩衝部材５は発泡ウレタンなどの軟質合成樹脂により成形されると共に、時計バンド４における本体２側の端部下面を覆うリップ形状となっており、これにより本体２の下面側からの衝撃を緩和あるいは吸収する。従って本体２の下面側への衝撃に対応することができる。
　【００１１】
　このような本実施例では、緩衝部材５が本体２の下面側からの衝撃に対応するため、時計バンド４を耐衝撃構造とする必要がなくなる。このため時計バンド４を本体２に回動自在に取り付けることができ、装着性が向上すると共に、ナイロン、金属その他の軟質合成樹脂以外の材質を使用でき、材料選択の自由度およびデザインの自由度が拡大する。
　【００１２】
　図３，図４および図５は本発明の第２実施例を示し、第１実施例と同一の要素は同一の符号で対応させてある。この実施例ではベゼルが合成樹脂からなる第１のベゼル２１と、金属からなる第２のベゼル２２とから構成されている。第１のベゼル２１は本体２の外周部の全周にわたって、その上面から上方に隆起する上面隆起部２１ａと、本体の外周部の側方に部分的に隆起する側面隆起部２１ｂとを一体的に有すると共に、好ましくは軟質性の合成樹脂から成形されており、これにより本体２の上面、側面からの衝撃に対応している。この第１のベゼル２１は本体２の下面からの衝撃に対応する緩衝部材５と共に、ビス１０により本体２に取り付けられる。
　【００１３】
　第２のベゼル２２はリング形状に成形されており、第１のベゼル２１の上部に取り付けられる。この第２のベゼル２２は第１のベゼル２１の上面を部分的に覆う形状に成形されている。図示例においては、図４に示すように第１のベゼル２１における時計ガラス７の外周側部分を覆い、第１のベゼル２１における１２時および６時方向の上面隆起部および側面隆起部２１ｂその他の部分を覆うことのない形状に成形されている。かかる第２のベゼル２２はステンレス、アルミニウムなどの金属により形成されており、その取り付けは図５に示すように、第１のベゼル２１の側面部分を覆う第２のベゼル２２のラップ部２２ａに段付きピン２３を挿入し、第１のベゼル２１および本体２に螺合することにより行われる。このように金属からなる第２のベゼル２２によって第１のベゼル２１を部分的に覆うことにより、第１のベゼル２１の合成樹脂の質感に第２のベゼル２２の金属性の光沢および質感が結合する。このため外観、デザインが向上すると共に、金属感を感受させながら、耐衝撃性構造とすることができ、趣味性、高級感も向上する。
　【００１４】
　図６はこの第２のベゼル２２の別の取り付け構造を示す。この構造は第１のベゼル２１に突起部２４を形成すると共に、第２のベゼル２２における突起部２４との対向部分に圧入穴を形成し、この圧入穴に突起部２４を圧入することにより取り付けるものである。このような構造では、ビスを螺合させる必要がなく、部品点数が少なく、組み立てが容易となるメリットがある。
　【００１５】
　尚、上記実施例では腕時計の時計ケースについて述べたが、腕時計に限定されるものではなく、例えば電子コンパス，水深計等を腕時計型のケース、即ち腕に装着されるケースに組み込んだものであってもよいものである。
　【００１６】
　【発明の効果】
　以上のとおり本発明は、バンドに沿う緩衝部材を本体の下面に取り付けて、下面側からの衝撃に対応するため、バンドを耐衝撃構造とする必要がなく、バンドの取付構造および材質の自由度が拡大し、デザインの自由度も拡大する。
【図面の簡単な説明】
　【図１】
　本発明の第１実施例の部分断面図。
　【図２】
　第１実施例の正面図。
　【図３】
　第２実施例の部分断面図。
　【図４】
　第２実施例の正面図。
　【図５】
　図４におけるＡ−Ａ線断面図。
　【図６】
　別の取付構造の断面図。
　【図７】
　従来の時計ケースの部分断面図。
　【図８】
　従来の時計ケースの正面図。
　【符号の説明】
　１　時計ケース
　２　本体
　３　ベゼル
　４　時計バンド
　５　緩衝部材
　２１　第１のベゼル
　２２　第２のベゼル